【手続補正書】
【提出日】平成20年2月13日(2008.2.13)
【手続補正１】
【補正対象書類名】特許請求の範囲
【補正対象項目名】全文
【補正方法】変更
【補正の内容】
【特許請求の範囲】
【請求項１】
センサからの計測信号を入力する計測信号入力手段と、
ＵＳＢケーブルを介して外部コンピュータとの間でデータの授受を行う外部コンピュータとの接続手段と、
前記計測信号をデジタルデータに変換するＡＤ変換手段と、
少なくとも前記外部コンピュータからのコマンドに対応するプログラムを記憶する記憶手段と、
当該ＡＤ変換手段からのデジタルデータ、及び少なくとも前記外部コンピュータから送られてくるコマンドを処理する処理手段と、
を有する計測用ＵＳＢ変換器。
【請求項２】
前記記憶手段は少なくとも前記外部コンピュータから送られてくるコマンドに対し計測データの補正演算を行うための手順を記憶することを特徴とする請求項１に記載の計測用ＵＳＢ変換器。
【請求項３】
センサからの計測データを入力する計測データ入力手段と、
ＵＳＢケーブルを介して外部コンピュータとの間でコマンド、データを授受するＵＳＢ端子手段と、
前記計測データをデジタルデータに変換するＡＤ変換手段と、
前記計測信号にＡＤ変換手段からのデジタルデータに測定時間を付加するタイムスタンプ手段と、前記外部コンピュータから送られてくるコマンドを実行するコマンド実行手段とを有する計測用ＵＳＢ変換器。
【請求項４】
センサにより計測したデータを、USB変換器を介して、外部コンピュータのディスプレイに表示する計測データを処理する方法であって、
前記USB変換装置は、少なくとも、センサからの計測データをAD変換するAD手段と、記憶手段と、前記AD手段、記憶手段に接続された演算手段と、前記外部コンピュータと前記演算装置とに接続するＵＳＢコントローラを含み、
前記外部コンピュータから前記USBコントローラを介して計測条件を記憶手段に記憶させるステップと、
センサから計測データを取込むステップと、
前記取込んだ計測データが前記外部コンピュータからのコマンドに基づいて処理されるステップと、
処理されたデータをコンピュータのディスプレイ上に表示し、記憶するステップとからなる
USB変換器を介した計測データを処理する方法。
【請求項５】
前記コンピュータから前記ＵＳＢケーブルを介して電源供給を受ける請求項１ないし３の何れか一項に記載のＵＳＢ変換器。
【手続補正２】
【補正対象書類名】明細書
【補正対象項目名】００１３
【補正方法】変更
【補正の内容】
【００１３】
本発明の第１の形態は、センサからの計測信号を入力する計測信号入力手段と、
ＵＳＢケーブルを介して外部コンピュータとの間でデータの授受を行う外部コンピュータとの接続手段と、前記計測信号をデジタルデータに変換するＡＤ変換手段と、少なくとも前記外部コンピュータからのコマンドに対応するプログラムを記憶する記憶手段と、当該ＡＤ変換手段からのデジタルデータ、及び少なくとも前記外部コンピュータから送られてくるコマンドを処理する処理手段と、を有する計測用ＵＳＢ変換器である。
また、本発明の第２の形態は、前記記憶手段は少なくとも前記外部コンピュータから送られてくるコマンドに対し計測データの補正演算を行うための手順を記憶することを特徴とする前記第１の形態の計測用ＵＳＢ変換器である。
本発明の第３の形態は、センサからの計測データを入力する計測データ入力手段と、ＵＳＢケーブルを介して外部コンピュータとの間でコマンド、データを授受するＵＳＢ端子手段と、前記計測データをデジタルデータに変換するＡＤ変換手段と、前記計測信号にＡＤ変換手段からのデジタルデータに測定時間を付加するタイムスタンプ手段と、前記外部コンピュータから送られてくるコマンドを実行するコマンド実行手段とを有する計測用ＵＳＢ変換器である。
更に、本発明の第４の形態は、センサにより計測したデータを、USB変換器を介して、外部コンピュータのディスプレイに表示する計測データを処理する方法であって、前記USB変換装置は、少なくとも、センサからの計測データをAD変換するAD手段と、記憶手段と、前記AD手段、記憶手段に接続された演算手段と、前記外部コンピュータと前記演算装置とに接続するＵＳＢコントローラを含み、前記外部コンピュータから前記USBコントローラを介して計測条件を記憶手段に記憶させるステップと、センサから計測データを取込むステップと、前記取込んだ計測データが前記外部コンピュータからのコマンドに基づいて処理されるステップと、処理されたデータをコンピュータのディスプレイ上に表示し、記憶するステップとからなるUSB変換器を介した計測データを処理する方法である。
また、本発明の第５の形態は、前記コンピュータから前記ＵＳＢケーブルを介して電源供給を受ける前記第１乃至第３の何れかのＵＳＢ変換器である。
【手続補正３】
【補正対象書類名】明細書
【補正対象項目名】００２３
【補正方法】変更
【補正の内容】
【００２３】
ＵＳＢコントローラ２２は、ＣＰＵ２１と外部コンピュータ４とのインターフェースである。ＣＰＵ２１から受取ったデータを外部コンピュータ４に送り、又、外部コンピュータ４からの信号を前記ケーブル３、ＵＳＢ端子を通してＣＰＵ２１に送る。
【手続補正４】
【補正対象書類名】明細書
【補正対象項目名】００３４
【補正方法】変更
【補正の内容】
【００３４】
次に、図２を参照しながら動作を説明する。初めに、本件発明のＵＳＢ変換器２がコンピュータ４からＵＳＢケーブル３を介して接続されると、変換器２は動作電源を得てスタートアップされる。すると、変換器識別子、センサ識別子が自動的にコンピュータ４に送られる。次にＵＳＢ変換器２は、コンピュータ４からのコマンドにより計測のための設定モードを設定する。即ち、ＵＳＢ変換器２はコンピュータ４から前記各種設定用のコマンドを受取り、必要な設定を行って計測準備を行う。
【手続補正５】
【補正対象書類名】明細書
【補正対象項目名】００３９
【補正方法】変更
【補正の内容】
【００３９】
図５は、ＵＳＢ変換器２の概観を示す斜視図であり、２３はセンサからの信号を入力する入力手段、即ちセンサからの信号線を接続する接続コネクタである。同コネクタ２３の反対側には、ＵＳＢケーブルを介して外部コンピュータとの間でデータの授受を行う外部コンピュータとの接続手段、即ちＵＳＢケーブルに接続するためのコネクタ（ＵＳＢ端子２４）が設けられている（当業者に周知であるから図示しない）。
【手続補正６】
【補正対象書類名】明細書
【補正対象項目名】００４２
【補正方法】変更
【補正の内容】
【００４２】
本発明によれば、本発明の複数のＵＳＢ変換器、市販されているＵＳＢハブを使ってコンピュータに接続することにより複数のＵＳＢ変換器を簡単に接続でき、又、コンピュータ側で各変換器を自動的に識別でき、各計測データを自動的に計測、表示、保存することができるので、このためのプラグラムを作成する必要も無い。計測データには計測時間が付加されるので自動的にデータの変化を表示することができる。またコンピュータによる解析において、前記時間データを有効に使って解析することができる。更に、ＵＳＢ変換器への電源供給はコンピュータから行われ、変換器本体もこの種の変換器と比較して小型であるため、実験を省スペースで行うことが出来る。この実験では、奥行３０ｃｍ、幅６０ｃｍの机上に、コンピュータ、ＵＳＢ変換器２台、ＵＳＢハブ、ｐＨセンサ、ＯＲＰセンサを準備した。ＵＳＢケーブル接続後、ｐＨ，ｐＨ溶液温度、ＯＲＰの３つのパラメータを１秒ごとに読取り、同時にディスプレイ（図示しない）上に表示させ、記憶することができた。
【手続補正７】
【補正対象書類名】図面
【補正対象項目名】図２
【補正方法】変更
【補正の内容】
【図２】
2007213260.tif 000001